(57)【要約】      （修正有）【課題】強風でバスケットが転倒する事がないようにネットパネルの網の目を大きくして風の抵抗を弱め、カラスの食い散らかしを防ぐためには網目を小さくし、さらに、カラスがバスケットの中を覗き見ることが出来ない生ゴミ袋を集積するカラスよけバスケットを形成するネットパネルを提供する。【解決手段】カラスよけバスケットを形成するネットパネル１は、図１に示す長方形を基本とし、網目の大きさは通常網目３より上方を、大網目２として風の抵抗を弱め、下方は地面から３０ｃｍ程の高さ、つまり、カラスの目線がバスケットの中を覗き見が出来ぬように、遮光網４にしてカラスからの視線を遮断した、次にパネルの左右の両端には、図２で示す様にネットパネル１をつなぎ合わす事が出来るジョイント６を設けた。【選択図】図３
2020015619.tif 000002
【特許請求の範囲】
【請求項１】
カラスよけバスケット（７）を形成する、図１に示す長方形のネットパネル（１）において，網目の大きさを、上方部は大網目（２）にする事で風の抵抗を弱め、下方部は３０ｃｍ〜４０ｃｍ程の高さまでを、カラスが中を覗き見出来ないように，遮光網（４）にした事を特徴とするネットパネル。
【請求項２】
図４に示す様に、カラスよけバスケット（７）の上部入口からの、鳥獣の侵入を防ぐために入口の周りに、触れると強い痛みを覚える先のとがった突起物を設けて、鳥獣の侵入を阻止すべく、長さ３ｃｍ程のトゲ（５）を、線状に数多く垂直に設けた事を特徴とするネットパネル。
【発明の詳細な説明】
【発明の詳細な説明】
【技術分野】
【０００１】  一般家庭から排出される生ゴミが、地域のゴミ集積場でカラスに食い散らかされるのを防ぐ、カラスよけバスケットを形成するネットパネルに関するものである。
【背景の技術】
【０００２】  地域の住人が排出する生ゴミの集積場で、使用されるカラスよけバスケットにおいては、屋外に設置されるがゆえに常に風雨にさらされます、特に風の影響は無視できません、強風でカラスよけバスケットが移動したり転倒する事態は避けたいものです、カラスよけバスケットを形成するネットパネルの網の目は小さいほど風の抵抗を受けるので、網目は大きいほど良いのですしかし、カラスによる被害度は高くなります。
【０００３】  ゴミの収集日にゴミバスケットの中に生ゴミ袋が集積されますと、高所から見ていたカラスはバスケットに近ずいて来ます、カラスは警戒心が強いので空中から一気にバスケットの中に舞い降りることはしません、必ずバスケットの上に止まってから、身の安全を確かめて中に入ります、つまりカラスがバスケットの上に止まれないようにすれば、上部入り口からの侵入を諦めさせることができます、
【０００４】  上部入り口からバスケットの中に入るのを諦めたカラスは、地面に降りて周りをうろつきます、バスケットの中に，好物の食べ物を見つけると根気よく引き出そうと行動し、カラスの背丈に及ぶ範囲のバスケットの下部を鋭い口端を差し込み攻撃します、やがてゴミ袋が破られ引き出されてゴミが散乱します，したがって、ネットパネルの網目は小さいほど害を防ぐ効果は高く、更に、カラスの視線からゴミ袋の存在を遮断すれば、執拗に攻撃する事を諦めさせることが出来ます。
【０００５】  ゴミ集積場で生ごみを食い散らかすのはカラスばかりではありません，猫や犬等の小動物の被害も見逃せません。
【特許文献１】実用新案登録第３１７１９１０号
【特許文献１】実用新案登録第３１００３４９号
【特許文献１】特願２０１５−２００５８５
【発明の開示】
【発明が解決しようとする課題】
【０００６】解決しようとする課題は次の４項目にまとめることが出来る【０００７】  強風でバスケットが飛ばされて転がることがないように、ネットパネルの網の目を大きなものにして風の抵抗を弱めたい、逆に鳥獣による食い散らかしを防ぐため、網目を小さなものにしたいと言う、相反する問題を解決したい。【０００８】  バスケットの中に集積した生ゴミの中に、食べ物を見つけると執拗に攻撃しますので、カラスにはバスケットの中が見えないようにしたい、【０００９】  バスケットの上方部はゴミの搬入口として、大きく開いていますので、ここから鳥獣が侵入するのを防ぎたい、【００１０】  バスケットはゴミの搬入日以外では、歩行者や自転車の走行に邪魔にならぬよう移動やかたずけをしたいので、分解や折りたたみを簡単に出来る様にしたい。
【問題を解決する手段】
【００１１】  カラスよけバスケットを形成するネットパネル（１）は、図１に示す長方形を基本とし、網目の大きさは上部を大網目（２）にして、中ほどは通常網目（３）とした、特に地面から３０ｃｍ〜４０ｃｍほどの高さ、つまり、カラスがバスケットの中を覗き見するほどの高さにおいては、遮光網（４）にしてカラスの視線を遮断した、次に、パネルの左右両端には、図２、に示す様にパネルとパネルを繋ぎ合せが出来る、ジョイント（６））を設けた。図３で示す様に同型のネットパネル（１）を、互いのジョイント同士を組み合わせて、ピンで止める事で、図４に示す筒状で底のない強固な、カラスよけバスケット（７）を形成することが出来ます。筒状のバスケットは上方と下方が大きく開いており，上方はゴミ袋の入口となり，下方はバスケットの底となります、バスケットは平らな地面に設置する事で、底部からカラスが侵入する事はありません
従って、カラスは上部入口よりバスケットの中に飛び込もうとします、しかし警戒心の強いカラスは、一度バスケット（７）の上部に止まらなければ飛び込む事は出来ませんので，、図１で示すネットパネル（１）の上部にカラスが触れると強い痛みを感じるトゲ（５）を線状に数多く垂直に設けました。
【発明の効果】
【００１２】  カラスよけバスケットを形成する本発明のネットパネルは、次に示す５項目の効果を創する。
【００１３】  ネットパネルの網目は上方ほど大きくしたので風の通りがよく、強い風の抵抗を受けてバスケットが転倒することを防ぐことが出来ます
【００１４】  ネットパネルの網目は、地面より３０ｃｍ〜４０ｃｍ程の高さまでを遮光網（４）にした事で、カラスや他の小動物がバスケットの中のゴミ袋を、覗き見をする事が出来ませんので、ゴミ袋の攻撃は避けられ生ゴミの食い散らかしの被害を防ぐ事が出来ます。
【００１５】  ネットパネル（１）の両端にジョイント（６）を設けたので、バスケットの組み立てや折りたたみをする事が容易にできる。
【００１６】  ネットパネルの枚数を増やす事で４角形５角形６角形等々の筒型のバスケットを形成できますので、ゴミの集積量によりバスケットの大きさを適度に調整することが出来ます。
【００１７】  ネットパネルの上辺には、鳥獣が触れると強い痛みを感じる、トゲ（５）を設けたのでカラスだけでなく、猫や犬等の小動物の侵入を防ぐ事が出来ます
【発明を実施するための最良の形態】
【００１８】  複数のネットパネルで形成した筒状のカラスよけバスケットには、底が無いので、設置する地面は平らでなければなりません、ゴミ袋の入口となる上方は、大きく開いておりカラスに侵入されますので、パネルの上辺に鳥獣が触れると痛みを感じるトゲ（５）を設けました、この事はカラスの侵入を阻止するだけでなく、猫や犬等がバスケットによじ登る事も阻止できるのです、しかし、バスケットの近くに注意書きの立て看板のような、，止まり木となる物があつてはなりません、カラスは止まり木となる物の上から身の安全と食べ物の有無を確認しなければ、バスケットの中に入る事はないのです。
ゴミの収集日に生ゴミ袋がバスケットの中に次々と放り込まれると、バスケットには、内側から圧力がかかります、複数のネットパネル（１）で組み立てられたバスケットが、バラバラになってゴミ袋がはみ出す事の無いように、ネットパネルに設けたジョイント（６）は、ピンで止める事で多角形の、筒状のバスケットは解体する事はなく、持ち上げても転がしても大丈夫です。
【実施例】
【００１９】  図４で示す筒状のカラスよけバスケット（７）には、ゴミの収集日に多量のゴミ袋が放り込まれますと、やがてカラスが近ずいてきます、カラスはバスケットの中に侵入しようと周りをうろつきます、ネットパネルの下部は遮光網（４）であり、カラスの視線を遮断しますので、カラスはバスケットの中を覗き見ることが出来ません、次にカラスは、バスケットの上方から侵入をするべく、入口の縁に飛び乗ろうとしますが、トゲ（５）が足の裏に強い痛みを与えますので侵入出来ません。
ゴミバスケットを利用する人は、安心してゴミ袋を放り込むことが出来ます、蓋をしたり、防風ネットを被せる等の手間をかける必要がありません、ネットの掛け損じで被害を被る事も無いのです、また、子供やお年寄り等の力の弱い人は、バスケットを持ち上げて下からゴミ袋を入れることも可能です、ゴミ袋を回収する業者の方もバスケットを持ち上げる事で、ゴミ袋をバスケットの中から簡単に出す事が出来ます。ネットパネルの網目は、上方が大きな網目（２）ですので、風の抵抗を受けてバスケットが飛ばされる事はありません、使用後はジョイントの解放により解体や折りたたみができるので、かたずけや移動が容易です。
【産業の利用可能性】
【００２０】  カラスの食い散らかしの被害を防ぐため、様々な対策が取られ、色々な製品が販売されていますが、学習能力の高いカラスには今だ手を焼いています、現在行われている対策や関連商品の主なものは、防風ネットや金網を利用してゴミ袋を覆う，或いは金網のパネルで囲いその上に防風ネットを被せるのが主流です、しかし、これらの方法では防風ネットの掛け剥がしが大変です、かけ損じで食い散らかされる被害にあう事は日常茶飯事です、地域の人は被害防止に様々な知恵や策を講じています。
防風ネットを大きなものにしたり、金網の囲いを設けたり、手製のゴミ箱を持ち込んだりしています、ゴミ回収後もこれらの用品が電柱に吊り下げられていたり、足元に置かれている様は、町中の景観を損ねています、カラスの被害防止から仕方のないものと諦めていますが、見てくれの良いものではありません。
完璧なものとして鉄製の蓋付きの製品が販売されていますが、高価であり設置場所も限られます、重量もあり持ち運びも容易ではなく、行政の指導では、歩行者や自転車の走行に危険な鉄製のゴミ箱は歩道の設置を禁止しています。
当、ネットパネルで形成するカラスよけバスットは、持参したゴミ袋を上から放り込むだけで、使い勝手が良く鳥獣にいたずらされる事もありません。
ネットパネルの製造においては、原材料をプラスチックやポリエステル等の科学繊維を使用すれば、型取りによる大量生産が可能となり安価な製品を提供出来ますので、今後の普及の余地は充分あります。
【図面の簡単な説明】
【００２１】
【図１】ネットパネルの正面図
【図２】ネットパネルの平面図
【図３】ネットパネルの斜視図
【図４】カラスよけバスケットの斜視図
【符号の説明】
【００２２】１、ネットパネル
２、大網目
３、通常の網目
４、遮光網
５  トゲ
６  ジョイント
７  カラスよけバスケット
【図１】
2020015619.tif 000003
【図２】
2020015619.tif 000004
【図３】
2020015619.tif 000005
【図４】
2020015619.tif 000006